(57)【要約】【課題】音響システムで使用される電波が他の機器の電波と干渉する可能性を低減する。【解決手段】管理装置２０は、音響信号を無線により受信する１以上の受信装置１６_nを含む複数の音響システム１０_1〜１０_Mと通信可能な管理装置であって、複数の音響システム１０_1〜１０_Mのうちの第１音響システムが使用可能な電波の周波数帯域を示す周波数情報を、複数の音響システムのうち第１音響システム以外の第２音響システムが使用する電波の周波数帯域を示す電波情報を参照して生成し、当該周波数情報を第１音響システムに送信する。【選択図】図１
2018101883.tif 000002
【特許請求の範囲】
【請求項１】
音響信号を無線により受信する１以上の受信装置を含む複数の音響システムと通信可能な管理装置であって、
前記複数の音響システムのうちの第１音響システムが使用可能な電波の周波数帯域を示す周波数情報を、前記複数の音響システムのうち前記第１音響システム以外の第２音響システムが使用する電波の周波数帯域を示す電波情報を参照して生成する情報生成部と、
前記情報生成部が生成した周波数情報を前記第１音響システムに送信する情報送信部と
を具備する管理装置。
【請求項２】
前記情報生成部は、前記第２音響システムの電波情報が示す周波数帯域とは重複しない周波数帯域を示す周波数情報を前記第１音響システムについて生成する
請求項１の管理装置。
【請求項３】
前記第１音響システムが設置される場所を示す位置情報を当該第１音響システムから受信する情報受信部を具備し、
前記情報生成部は、相異なる場所で使用される電波の周波数帯域を示す複数の電波情報のうち、前記情報受信部が受信した位置情報が示す場所に近い前記第２音響システムの電波情報を参照して、前記第１音響システムの周波数情報を生成する
請求項１または請求項２の管理装置。
【請求項４】
前記複数の電波情報は、前記複数の音響システムの何れかが使用する電波の周波数帯域を示す電波情報と、前記複数の音響システム以外の電波発生源が使用する電波の周波数帯域を示す電波情報とを含む
請求項３の管理装置。
【請求項５】
音響信号を無線により受信する１以上の受信装置を含む複数の音響システムに使用される情報処理装置であって、
前記音響システムで使用される電波の周波数帯域を設定する周波数設定部と、
前記音響システムが設置される場所を示す位置情報と、前記音響システムが使用する電波の周波数帯域を示す電波情報とを、複数の音響システムと通信可能な管理装置に対して送信する情報送信部と
を具備する情報処理装置。
【請求項６】
音響信号を無線により受信する１以上の受信装置を含む複数の音響システムと、
前記複数の音響システムと通信可能な管理装置とを具備し、
前記管理装置は、
前記複数の音響システムのうちの第１音響システムが使用可能な電波の周波数帯域を示す周波数情報を、前記複数の音響システムのうち前記第１音響システム以外の第２音響システムが使用する電波の周波数帯域を示す電波情報を参照して生成する情報生成部と、
前記情報生成部が生成した周波数情報を前記第１音響システムに送信する情報送信部と
を含む通信システム。
【発明の詳細な説明】
【技術分野】
【０００１】
本発明は、音響信号を無線により受信する１以上の受信装置を含む音響システムについて使用される電波の周波数帯域を管理する技術に関する。
【背景技術】
【０００２】
音響信号を収音装置から無線で受信する受信装置を含む音響システム（ワイヤレスマイクロホンシステム）では、複数の受信装置の各々が通信に使用する電波の周波数帯域の設定が問題となる。特許文献１には、複数の受信機から選択された親機が他の受信機と通信することで、相互に重複しない周波数帯域を各受信機に設定する構成が開示されている。
【先行技術文献】
【特許文献】
【０００３】
【特許文献１】特開２００３−２４４００８号公報
【発明の概要】
【発明が解決しようとする課題】
【０００４】
特許文献１の技術によれば、音響システムを構成する複数の受信装置の相互間における電波の干渉が抑制される。しかし、例えば施設内の相異なる階層に複数の音響システムが設置された状況のように複数の音響システムが相互に近接する状況では、各音響システムの相互間で電波の干渉が発生し得る。また、音響システムの近くに存在する外部機器との間で電波の干渉が発生する可能性もある。以上の事情を考慮して、本発明の好適な態様は、音響システムで使用される電波が他の機器の電波と干渉する可能性を低減することを目的とする。
【課題を解決するための手段】
【０００５】
以上の課題を解決するために、本発明の第１態様に係る管理装置は、音響信号を無線により受信する１以上の受信装置を含む複数の音響システムと通信可能な管理装置であって、前記複数の音響システムのうちの第１音響システムが使用可能な電波の周波数帯域を示す周波数情報を、前記複数の音響システムのうち前記第１音響システム以外の第２音響システムが使用する電波の周波数帯域を示す電波情報を参照して生成する情報生成部と、前記情報生成部が生成した周波数情報を前記第１音響システムに送信する情報送信部とを具備する。
本発明の第２態様に係る情報処理装置は、音響信号を無線により受信する１以上の受信装置を含む複数の音響システムに使用される情報処理装置であって、前記音響システムで使用される電波の周波数帯域を設定する周波数設定部と、前記音響システムが設置される場所を示す位置情報と、前記音響システムが使用する電波の周波数帯域を示す電波情報とを、複数の音響システムと通信可能な管理装置に対して送信する情報送信部とを具備する。
本発明の第３態様に係る通信システムは、音響信号を無線により受信する１以上の受信装置を含む複数の音響システムと、前記複数の音響システムと通信可能な管理装置とを具備し、前記管理装置は、前記複数の音響システムのうちの第１音響システムが使用可能な電波の周波数帯域を示す周波数情報を、前記複数の音響システムのうち前記第１音響システム以外の第２音響システムが使用する電波の周波数帯域を示す電波情報を参照して生成する情報生成部と、前記情報生成部が生成した周波数情報を前記第１音響システムに送信する情報送信部とを含む。
【図面の簡単な説明】
【０００６】
【図１】本発明の第１実施形態に係る通信システムの構成図である。
【図２】収音装置の構成図である。
【図３】収音装置の他の構成図である。
【図４】受信装置の構成図である。
【図５】情報処理装置および管理装置の構成図である。
【図６】情報処理装置および管理装置の各々の動作を示すフローチャートである。
【図７】第２実施形態における通信システムの構成図である。
【図８】第３実施形態における管理装置の動作の説明図である。
【発明を実施するための形態】
【０００７】
＜第１実施形態＞
図１は、本発明の第１実施形態に係る通信システム１００の構成図である。図１に例示される通り、第１実施形態の通信システム１００は、複数（Ｍ個）の音響システム１０_1〜１０_Mと管理装置２０とを具備する。管理装置２０は、インターネット等の通信網３０を介してＭ個の音響システム１０_1〜１０_Mの各々と通信可能なサーバシステム（例えばウェブサーバ）であり、Ｍ個の音響システム１０_1〜１０_Mの各々の動作を管理する。各音響システム１０_m（ｍ＝１〜Ｍ）は、例えば、演奏会または講演会等の各種のイベントが開催されるホール等の空間に設置される。Ｍ個の音響システム１０_1〜１０_Mは相異なる場所に設置される。
【０００８】
Ｍ個の音響システム１０_1〜１０_Mの各々は、情報処理装置１２と複数（Ｎ個）の収音装置１４_1〜１４_Nと複数（Ｎ個）の受信装置１６_1〜１６_Nと再生装置１８とを具備するＮチャンネルのワイヤレスマイクロホンシステムである。Ｎ個の収音装置１４_1〜１４_NとＮ個の受信装置１６_1〜１６_Nとは相互に１対１で対応する。なお、実際には収音装置１４_n（ｎ＝１〜Ｎ）または受信装置１６_nの総数Ｎは音響システム１０毎に相違し得るが、以下の説明では、Ｍ個の音響システム１０_1〜１０_Mについて総数Ｎが共通する場合を便宜的に想定する。
【０００９】
Ｍ個の音響システム１０_1〜１０_Mの各々における情報処理装置１２は、通信網３０を介して管理装置２０と通信可能である。また、任意の１個の音響システム１０_mにおいて、Ｎ個の受信装置１６_1〜１６_Nは、例えばＬＡＮ（Local Area Network）等の通信網を介して情報処理装置１２と通信可能である。なお、Ｍ個の音響システム１０_1〜１０_Mは相互に同様の構成であるから、以下の説明では、任意の１個の音響システム１０_mの構成を代表的に説明する。
【００１０】
音響システム１０_mの任意の１個の収音装置１４_nは、音声または楽音等の各種の音の波形を表す音響信号Ｘ_nを無線により送信する携帯型のワイヤレスマイクロホンである。具体的には、図２に例示される通り、収音により音響信号Ｘ_nを生成する収音部１４２と、収音部１４２が生成した音響信号Ｘ_nを無線で送信する送信部１４４とを具備する収音装置１４_nが利用される。収音装置１４_nの具体的な形態は任意であるが、例えば、収音部１４２と送信部１４４とが別体で構成されて有線または無線で相互に接続されたボディパック型、または、収音部１４２と送信部１４４とを単体の筐体に収容したハンドヘルド型が好適である。また、図３に例示される通り、電気弦楽器等の電気楽器１４６が生成した音響信号Ｘ_nを無線で送信する送信部１４４を具備する収音装置１４_nを利用することもできる。各収音装置１４_nが音響信号Ｘ_nの送信に使用する電波の周波数帯域（以下「使用帯域」という）Ｂ_nは、例えば利用者からの指示に応じて変更される。
【００１１】
音響システム１０_mの任意の１個の受信装置１６_nは、当該受信装置１６_nに対応する収音装置１４_nが送信した音響信号Ｘ_nを受信する。図４は、受信装置１６_nの構成図である。図４に例示される通り、第１実施形態の受信装置１６_nは、受信部１６２と制御部１６４と復調部１６６とを具備する。受信部１６２は、例えば周囲の電波を受信するアンテナを含んで構成され、電波強度を表す受信信号を生成する。制御部１６４は、使用帯域Ｂ_nを復調部１６６に指示する。受信装置１６_nの制御部１６４は、当該受信装置１６_nに対応する収音装置１４_nと共通の使用帯域Ｂ_nを復調部１６６に指示する。復調部１６６は、受信部１６２が生成した受信信号のうち制御部１６４から指示された使用帯域Ｂ_n内の信号成分を抽出および復調することで音響信号Ｘ_nを生成する。各受信装置１６_nの復調部１６６が生成した音響信号Ｘ_nは再生装置１８に供給される。
【００１２】
再生装置１８は、相異なる受信装置１６_nから供給されるＮ個のチャンネルの音響信号Ｘ_1〜Ｘ_Nに応じた音を再生する。第１実施形態の再生装置１８は、音響処理装置１８２と放音装置１８４とを含んで構成される。音響処理装置１８２は、Ｎ個のチャンネルの音響信号Ｘ_1〜Ｘ_Nを加算するミキサである。音響処理装置１８２が各音響信号Ｘ_nの音量または周波数特性を調整する構成、または、音響処理装置１８２が各音響信号Ｘ_nに各種の音響効果を付与する構成も採用され得る。放音装置１８４（例えばスピーカ）は、音響処理装置１８２による処理後の音響信号に応じた音波を放射する。
【００１３】
音響システム１０_mの情報処理装置１２は、当該音響システム１０_m内で使用されるＮ個の使用帯域Ｂ_1〜Ｂ_Nを設定する。具体的には、情報処理装置１２は、相互に重複しない（さらに詳細には、各使用帯域Ｂ_nの電波が相互に干渉しない）ようにＮ個の使用帯域Ｂ_1〜Ｂ_Nを設定する。
【００１４】
図５は、情報処理装置１２および管理装置２０の構成図である。図５に例示される通り、第１実施形態の情報処理装置１２は、制御装置１２２と記憶装置１２４と表示装置１２６と通信装置１２８とを具備するコンピュータシステムで実現される。例えばパーソナルコンピュータ等の情報機器が情報処理装置１２として利用され得る。
【００１５】
制御装置１２２は、例えばＣＰＵ（Central Processing Unit）を含む処理回路であり、情報処理装置１２の全体を統括的に制御する。記憶装置１２４は、例えば磁気記録媒体または半導体記録媒体等の公知の記録媒体で構成され、制御装置１２２が実行するプログラムと制御装置１２２が使用する各種のデータとを記憶する。なお、同種または異種の複数の記録媒体で記憶装置１２４を実現することも可能である。表示装置１２６（例えば液晶表示パネル）は、制御装置１２２による制御のもとで各種の画像を表示する。
【００１６】
通信装置１２８は、通信網３０を介して管理装置２０と通信する。通信装置１２８と通信網３０との間の通信は、有線通信または無線通信の何れでもよい。図５に例示される通り、音響システム１０_mの通信装置１２８は、管理装置２０から周波数情報Ｆ_mを受信する。周波数情報Ｆ_mは、音響システム１０_mが使用可能な周波数帯域を示す情報である。具体的には、Ｍ個の音響システム１０_1〜１０_Mに割当可能な周波数帯域の全体を所定幅毎に区画した複数の周波数帯域（以下「単位帯域」という）のうち２以上の単位帯域の組合せが周波数情報Ｆ_mにより指定される。
【００１７】
他方、管理装置２０は、周波数情報Ｆ_mを音響システム１０_mに送信するためのコンピュータシステムであり、制御装置２２と記憶装置２４と通信装置２６とを具備する。制御装置２２は、例えばＣＰＵを含む処理回路であり、管理装置２０の全体を統括的に制御する。通信装置２６は、通信網３０を介してＭ個の音響システム１０_1〜１０_Mの各々（具体的には情報処理装置１２）と通信する。記憶装置２４は、例えば磁気記録媒体または半導体記録媒体等の公知の記録媒体で構成され、制御装置２２が実行するプログラムと制御装置２２が使用する各種のデータとを記憶する。
【００１８】
第１実施形態の記憶装置２４は、Ｎ個の使用帯域Ｂ_1〜Ｂ_Nが既に設定された音響システム１０_mについて電波情報Ｗ_mと位置情報Ｌ_mとを記憶する。電波情報Ｗ_mは、音響システム１０_mの情報処理装置１２が実際に設定したＮ個の使用帯域Ｂ_1〜Ｂ_Nを指定する情報である。例えば、各受信装置１６_nの識別情報と当該受信装置１６_nの使用帯域Ｂ_nとをＮ個の受信装置１６_1〜１６_Nの各々について対応させたデータテーブルが電波情報Ｗ_mとして好適である。ただし、各受信装置１６_nの識別情報は省略され得る。
【００１９】
他方、位置情報Ｌ_mは、音響システム１０_mが設置された場所を示す情報である。例えば、ＧＰＳ（Global Positioning System）を利用して測位された地点（経度および緯度）を示す情報、または、情報処理装置１２に利用者が入力した住所または施設名等の情報が、位置情報Ｌ_mの好適例である。例えば、情報処理装置１２のＩＰアドレスから特定される位置を示す情報、または、ＷｉＦｉ（登録商標）等の近距離無線通信を利用して特定される位置を、位置情報Ｌ_mとして利用することも可能である。以上の説明から理解される通り、位置情報Ｌ_mは、地理的な唯１個の地点まで厳密に特定可能である必要はなく、音響システム１０_mが設置される場所のように概略的な範囲（具体的には音響システム１０_mで使用される電波が到達する範囲）を特定可能な情報であれば充分である。
【００２０】
以上の説明から理解される通り、記憶装置２４に記憶された電波情報Ｗ_mと位置情報Ｌ_mとの対応を参照することで、音響システム１０_mが設置された場所において実際に使用されているＮ個の使用帯域Ｂ_1〜Ｂ_Nを特定することが可能である。
【００２１】
図６は、通信システム１００の動作のフローチャートである。任意の１個の音響システム１０_m1（ｍ1＝１〜Ｍ）における情報処理装置１２（制御装置１２２）の動作と管理装置２０（制御装置２２）の動作とが便宜的に併記されている。制御装置１２２は、記憶装置１２４に記憶されたプログラムを実行することで図６の左側に例示された処理を実行し、制御装置２２は、記憶装置２４に記憶されたプログラムを実行することで図６の右側に例示された処理を実行する。なお、制御装置１２２および制御装置２２の各々の機能を複数の装置に分散した構成、または、制御装置１２２および制御装置２２の各々の機能の一部を専用の電子回路が実現する構成も採用され得る。
【００２２】
図６の左側に例示された処理は、音響システム１０_m1の使用を開始した直後に実行され、音響システム１０_m1についてＮ個の使用帯域Ｂ_1〜Ｂ_Nを設定するための処理である。なお、以下の説明では、音響システム１０_m1の近傍に設置された音響システム１０_m2（ｍ2＝１〜Ｍ，ｍ2≠ｍ1）についてＮ個の使用帯域Ｂ_1〜Ｂ_Nが設定済である場合を想定する。音響システム１０_m1（第１音響システム１０の例示）と音響システム１０_m2（第２音響システム１０の例示）とは相互に近接するから、音響システム１０_m1と音響システム１０_m2との間で使用帯域Ｂ_nが相互に重複する場合には両者間で電波の干渉が発生し得る。
【００２３】
音響システム１０_m1における情報処理装置１２の制御装置１２２は、周波数情報Ｆ_m1の要求を意味する情報要求Ｒaを通信装置１２８から管理装置２０に送信する（Ｓa1）。情報要求Ｒaは、音響システム１０_m1の位置情報Ｌ_m1を包含する。すなわち、情報処理装置１２の制御装置１２２および通信装置１２８は、音響システム１０_m1の位置情報Ｌ_m1を管理装置２０に送信する要素として機能する。
【００２４】
管理装置２０の制御装置２２は、音響システム１０_m1の情報処理装置１２が送信した情報要求Ｒaを通信装置２６により受信する（Ｓb1）。すなわち、管理装置２０の制御装置２２および通信装置２６は、音響システム１０_m1の場所を示す位置情報Ｌ_m1を音響システム１０_m1から受信する要素（情報受信部）として機能する。
【００２５】
制御装置２２は、使用帯域Ｂ_nが既に設定された音響システム１０_mについて記憶装置２４に記憶された電波情報Ｗ_mおよび位置情報Ｌ_mと、音響システム１０_m1から受信した情報要求Ｒa内の位置情報Ｌ_m1とに応じて、音響システム１０_m1が使用可能な周波数帯域を示す周波数情報Ｆ_m1を生成する（Ｓb2，Ｓb3）。第１実施形態の制御装置２２は、音響システム１０_m1に近い場所の電波情報Ｗ_mを参照して周波数情報Ｆ_m1を設定する。
【００２６】
具体的には、制御装置２２は、情報要求Ｒa内の位置情報Ｌ_m1が示す位置に近い位置を示す位置情報Ｌ_mを記憶装置２４から検索し、当該位置情報Ｌ_mに対応する電波情報Ｗ_mを特定する（Ｓb2）。すなわち、音響システム１０_m1の付近にある音響システム１０_m（すなわち、使用帯域Ｂ_nが重複する場合に音響システム１０_m1との間で電波の干渉が発生し得る音響システム１０_m）の電波情報Ｗ_mが特定される。前述の通り、音響システム１０_m1の付近の音響システム１０_m2について使用帯域Ｂ_nが設定済である場合を想定すると、制御装置２２は、音響システム１０_m2について設定されたＮ個の使用帯域Ｂ_1〜Ｂ_Nを示す電波情報Ｗ_m2をステップＳb2で特定する。
【００２７】
そして、制御装置２２は、ステップＳb2で特定した電波情報Ｗ_m1が示す各使用帯域Ｂ_nとは重複しない２個以上の単位帯域を指定する周波数情報Ｆ_mを生成する（Ｓb3）。すなわち、音響システム１０_m1の付近にある他の音響システム１０_m2の使用帯域Ｂ_n以外の２個以上の単位帯域を示す周波数情報Ｆ_mが生成される。以上の説明から理解される通り、記憶装置２４に記憶されたプログラムの実行により、制御装置２２は、音響システム１０_m1が使用可能な周波数帯域を示す周波数情報Ｆ_m1を、他の音響システム１０_m2の電波情報Ｗ_m2を参照して生成する要素（情報生成部）として機能する。
【００２８】
制御装置２２は、以上の手順で生成した周波数情報Ｆ_m1を要求元の音響システム１０_m1に送信する（Ｓb4）。すなわち、制御装置２２と通信装置２６とは、周波数情報Ｆ_m1を音響システム１０_m1に送信する要素（情報送信部）として機能する。音響システム１０_m1における情報処理装置１２の制御装置１２２は、管理装置２０から送信された周波数情報Ｆ_m1を通信装置１２８により受信する（Ｓa2）。
【００２９】
制御装置１２２は、管理装置２０から受信した周波数情報Ｆ_m1を利用して、音響システム１０_m1が使用するＮ個の使用帯域Ｂ_1〜Ｂ_Nを設定する（Ｓa3）。具体的には、制御装置１２２は、周波数情報Ｆ_m1が指定する複数の単位帯域のうちの任意のＮ個を使用帯域Ｂ_1〜Ｂ_Nとして選択する。以上の説明から理解される通り、記憶装置１２４に記憶されたプログラムの実行により、制御装置１２２は、音響システム１０_m1で使用されるＮ個の使用帯域Ｂ_1〜Ｂ_Nを設定する要素（周波数設定部）として機能する。
【００３０】
制御装置１２２は、周波数情報Ｆ_mに応じて設定した各使用帯域Ｂ_nを音響システム１０_m1に適用する（Ｓa4）。具体的には、制御装置１２２は、各使用帯域Ｂ_nを受信装置１６_nに指示する。受信装置１６_nの制御部１６４は、情報処理装置１２から指示された使用帯域Ｂ_nを復調部１６６に指示する。また、制御装置１２２は、Ｎ個の使用帯域Ｂ_1〜Ｂ_Nを表示装置１２６に表示することで利用者に提示する。利用者は、表示装置１２６に表示された各使用帯域Ｂ_nを収音装置１４_nに指示する。収音装置１４_nの送信部１４４は、使用帯域Ｂ_nの電波を利用して音響信号Ｘ_nを受信装置１６_nに送信する。以上の処理の結果、音響システム１０_m1の近傍の音響システム１０_m2の使用帯域Ｂ_nとは重複しないＮ個の使用帯域Ｂ_1〜Ｂ_Nの電波が当該音響システム１０_m1内で使用される。したがって、音響システム１０_m1と音響システム１０_m2との間で電波の干渉が発生する可能性は低減される。
【００３１】
以上の手順でＮ個の使用帯域Ｂ_1〜Ｂ_Nが音響システム１０_m1に適用されると、制御装置１２２は、音響システム１０_m1で実際に使用される使用帯域Ｂ_1〜Ｂ_Nの登録を要求するための登録要求Ｒbを通信装置１２８から管理装置２０に送信する（Ｓa5）。登録要求Ｒbは、音響システム１０_m1の位置を示す位置情報Ｌ_m1と、音響システム１０_m1で使用されるＮ個の使用帯域Ｂ_1〜Ｂ_Nを示す電波情報Ｗ_m1とを包含する。以上の説明から理解される通り、制御装置１２２と通信装置１２８とは、位置情報Ｌ_m1と電波情報Ｗ_m1とを管理装置２０に送信する要素（情報送信部）として機能する。
【００３２】
管理装置２０の制御装置２２は、音響システム１０_m1の情報処理装置１２が送信した登録要求Ｒbを通信装置２６により受信する（Ｓb5）。制御装置２２は、登録要求Ｒbに含まれる位置情報Ｌ_m1と電波情報Ｗ_m1とを相互に対応させて記憶装置２４に登録する（Ｓb6）。すなわち、Ｎ個の使用帯域Ｂ_1〜Ｂ_Nが設定された音響システム１０_mについて、位置情報Ｌ_mと電波情報Ｗ_mとが記憶装置２４に登録される。位置情報Ｌ_m1および電波情報Ｗ_m1が登録されると、以降に音響システム１０_m1の近傍で使用が開始される他の音響システム１０_mについては、音響システム１０_m1の各使用帯域Ｂ_nとは重複しないＮ個の使用帯域Ｂ_1〜Ｂ_Nが設定される。
【００３３】
以上に説明した通り、第１実施形態では、音響システム１０_m1が使用可能な周波数帯域を示す周波数情報Ｆ_m1が、他の音響システム１０_m2で使用される周波数帯域を示す電波情報Ｗ_m2を参照して生成されて音響システム１０_m1に送信される。具体的には、音響システム１０_m2の電波情報Ｗ_m2が示す周波数帯域とは重複しない周波数帯域を示す周波数情報Ｆ_m1が音響システム１０_m1について生成される。したがって、音響システム１０_m1で使用される電波が音響システム１０_m2の電波と干渉する可能性を低減することが可能である。第１実施形態では特に、音響システム１０_m1に近い音響システム１０_m2の電波情報Ｗ_m2が音響システム１０_m1の周波数情報Ｆ_m1の生成のために参照されるから、音響システム１０_m1との間で電波の干渉が特に発生し易い音響システム１０_m2について電波の干渉を抑制できるという利点がある。
【００３４】
第１実施形態では、音響システム１０_mが設置される場所を示す位置情報Ｌ_mと、音響システム１０_mが使用する周波数帯域を示す電波情報Ｗ_mとが管理装置２０に送信されるから、音響システム１０_mの位置に応じたＮ個の使用帯域Ｂ_1〜Ｂ_Nの設定を管理装置２０で統一的に管理できるという利点がある。
【００３５】
＜第２実施形態＞
本発明の第２実施形態について説明する。なお、以下に例示する各構成において作用または機能が第１実施形態と同様である要素については、第１実施形態の説明で使用した符号を流用して各々の詳細な説明を適宜に省略する。
【００３６】
図７は、第２実施形態における通信システム１００の構成図である。図７に例示される通り、任意の１個の音響システム１０_mの近傍には、電波を放射する電子機器等の外部機器（以下「電波発生源」という）４０が設置され得る。電波発生源４０が放射する電波の周波数帯域と音響システム１０_mが使用する電波の周波数帯域とが相互に重複すると、両者間の電波の干渉が発生し得る。以上の事情を考慮して、第２実施形態では、音響システム１０_mの近傍にある電波発生源４０が使用する周波数帯域と重複しないように、当該音響システム１０_mの使用帯域Ｂ_nを設定する。
【００３７】
第１実施形態では、使用帯域Ｂ_nが設定された音響システム１０_mについて管理装置２０の記憶装置２４に電波情報Ｗ_mと位置情報Ｌ_mとを登録した。第２実施形態では、図７に例示される通り、各音響システム１０_mの電波情報Ｗ_mおよび位置情報Ｌ_mに加えて、Ｍ個の音響システム１０_1〜１０_M以外の電波発生源４０が使用する電波の周波数帯域を示す電波情報Ｗxを、当該電波発生源４０の位置を示す位置情報Ｌxとともに記憶装置２４に記憶する。すなわち、第２実施形態の記憶装置２４には、任意の１個の音響システム１０_mが使用する電波の周波数帯域（使用帯域Ｂ_n）を示す電波情報Ｗ_mと、電波発生源４０が使用する電波の周波数帯域を示す電波情報Ｗxとを含む複数の電波情報Ｗ（Ｗx，Ｗ_m）が記憶される。
【００３８】
Ｍ個の音響システム１０_1〜１０_Mのうち電波発生源４０からの電波を有意な強度で受信できる程度に当該電波発生源４０に近接する音響システム１０_mが、電波発生源４０の電波情報Ｗxを生成して管理装置２０に送信する。具体的には、音響システム１０_mのＮ個の受信装置１６_1〜１６_Nの何れかが、電波発生源４０からの電波を含む外部電波を受信部１６２により受信する。外部電波の受信は、Ｎ個の収音装置１４_1〜１４_Nが電波の送信を停止した状態で実行される。そして、受信装置１６の制御部１６４は、受信部１６２による受信信号について高速フーリエ変換等の周波数解析を実行することで、電波発生源４０から放射される電波の周波数特性を特定する。音響システム１０_mの情報処理装置１２は、電波発生源４０から放射される電波の周波数帯域を示す電波情報Ｗxと、当該電波発生源４０の位置を示す位置情報Ｌxとを含む登録要求Ｒbを生成し、通信装置１２８から管理装置２０に送信する。なお、音響システム１０_mの位置を電波発生源４０の位置として近似的に利用することも可能である。管理装置２０の制御装置２２は、通信装置２６が音響システム１０_mから受信した登録要求Ｒb内の電波情報Ｗxと位置情報Ｌxとを記憶装置２４に登録する。
【００３９】
任意の１個の音響システム１０_m1から情報要求Ｒaを受信すると（Ｓb1）、管理装置２０の制御装置２２は、音響システム１０_m1に近い位置の位置情報Ｌ（音響システム１０_mの位置情報Ｌ_mまたは電波発生源４０の位置情報Ｌx）に対応する電波情報Ｗを特定する（Ｓb2）。また、制御装置２２は、第１実施形態と同様に、ステップＳb2で特定した電波情報Ｗが示す周波数帯域とは重複しない周波数帯域を示す周波数情報Ｆ_mを生成（Ｓb3）および送信（Ｓb4）する。
【００４０】
情報要求Ｒaを送信した音響システム１０_m1が電波発生源４０の近くに位置する場合、ステップＳb2では、電波発生源４０の電波情報Ｗxが特定される。したがって、制御装置２２は、ステップＳb3において、電波発生源４０が放射する電波の周波数帯域以外の２個以上の単位帯域を示す周波数情報Ｆ_m1を生成する。
【００４１】
第２実施形態においても第１実施形態と同様の効果が実現される。また、第２実施形態では、電波発生源４０が放射する電波の周波数帯域を示す電波情報Ｗxが管理装置２０に登録され、音響システム１０_m1が使用可能な周波数帯域を示す周波数情報Ｆ_m1の生成のために参照される。したがって、電波発生源４０からの電波が音響システム１０_m1の電波と干渉する可能性を低減できるという利点がある。なお、以上の説明では、各音響システム１０_mの電波情報Ｗ_mと音響システム１０_m以外の電波発生源４０の電波情報Ｗxとの双方が管理装置２０に登録される構成を例示したが、電波発生源４０の電波情報Ｗxのみを管理装置２０に登録することも可能である。すなわち、音響システム１０_mの電波情報Ｗ_mの登録は省略され得る。
【００４２】
＜第３実施形態＞
例えば自動車等の電波発生源４０は移動する可能性がある。第２実施形態に例示した通り、Ｍ個の音響システム１０_1〜１０_Mの各々は、自身の近傍に存在する電波発生源４０の電波情報Ｗxと位置情報Ｌxとを登録要求Ｒbとして管理装置２０に通知する。以上の構成において、例えばＭ個の音響システム１０_1〜１０_Mが分布する範囲内で電波発生源４０が経時的に移動すると、電波発生源４０の移動中の複数の時点の各々において、当該時点における電波発生源４０の位置を示す位置情報Ｌxと電波状態を示す電波情報Ｗxとが各音響システム１０_mから管理装置２０に通知される。すなわち、管理装置２０では、電波発生源４０の移動に対応した複数の位置情報Ｌxの時系列を取得することが可能である。そこで、第３実施形態の管理装置２０の制御装置２２は、複数の位置情報Ｌxの時系列を参照することで、電波発生源４０が移動してきた経路（以下「移動経路」という）を特定する。
【００４３】
図８には、電波発生源４０の移動に並行して各音響システム１０_mから管理装置２０に送信される位置情報Ｌxの時系列が例示されている。図８の位置λ_m-2は、音響システム１０_m-2の近傍に電波発生源４０が存在する状態で当該音響システム１０_m-2から管理装置２０に送信された位置情報Ｌxが示す位置である。同様に、位置λ_m-1は、音響システム１０_m-1の近傍に電波発生源４０が存在する状態で当該音響システム１０_m-1から送信された位置情報Ｌxが示す位置である。位置λ_mは、音響システム１０_mの近傍に電波発生源４０が位置する状態で当該音響システム１０_mから送信された位置情報Ｌxが示す位置である。管理装置２０の制御装置２２は、電波発生源４０の過去の位置の遷移（λ_m-2→λ_m-1→λ_m）から電波発生源４０の移動経路Λを特定する。
【００４４】
図８から理解される通り、電波発生源４０が移動経路Λに沿った移動を継続すると、音響システム１０_m+1の近傍を通過することが予測される。管理装置２０の制御装置２２は、電波発生源４０が接近する可能性が高い音響システム１０_m+1を移動経路Λから特定し、音響システム１０_m+1については、電波発生源４０の電波情報Ｗxが示す周波数帯域以外の２個以上の単位帯域を示す周波数情報Ｆ_m+1を生成する（Ｓb3）。すなわち、電波発生源４０が放射する電波の周波数帯域は、音響システム１０_m+1のＮ個の使用帯域Ｂ_1〜Ｂ_Nの候補から除外される。
【００４５】
第３実施形態においても第１実施形態および第２実施形態と同様の効果が実現される。また、第３実施形態では、電波発生源４０が電波を放射しながら移動する場合でも、各音響システム１０_mが使用する電波と電波発生源４０からの電波とが干渉する可能性を低減できるという利点がある。
【００４６】
＜変形例＞
以上に例示した各態様は多様に変形され得る。具体的な変形の態様を以下に例示する。以下の例示から任意に選択された２個以上の態様は、相互に矛盾しない範囲で適宜に併合され得る。
【００４７】
（１）前述の各形態では、情報処理装置１２から各受信装置１６_nに使用帯域Ｂ_nを指示する構成を例示したが、表示装置１２６に表示された各使用帯域Ｂ_nを確認した利用者が、受信装置１６_nに対して手動で使用帯域Ｂ_nを指示することも可能である。また、前述の各形態では、収音装置１４_nの使用帯域Ｂ_nを利用者が手動で設定する構成を例示したが、情報処理装置１２から各収音装置１４_nに対して使用帯域Ｂ_nを指示することも可能である。例えば、使用帯域Ｂ_nの指示が情報処理装置１２から受信装置１６_nを介して無線で収音装置１４_nに指示される。
【００４８】
（２）前述の各形態では、受信装置１６_nとは別個に情報処理装置１２を設置した構成を例示したが、情報処理装置１２の機能を１個の受信装置１６_nに搭載した構成も採用され得る。すなわち、情報処理装置１２が単体の装置として設置されるか、受信装置１６_nと一体の装置として実現されるかは、本発明において不問である。
【００４９】
（３）前述の各形態では、位置情報Ｌ_mと電波情報Ｗ_mとを含む登録要求Ｒbを情報処理装置１２から管理装置２０に送信したが（Ｓa5）、登録要求Ｒbの内容は以上の例示に限定されない。例えば、音響システム１０_mが使用される時間を示す時間情報Ｔ_mを、位置情報Ｌ_mおよび電波情報Ｗ_mとともに登録要求Ｒbに含めることも可能である。時間情報Ｔ_mは、例えば音響システム１０_mが使用される予定の期間（以下「使用期間」という）を示す情報であり、例えば情報処理装置１２に対する利用者からの指示（具体的には使用期間の指定）に応じて生成される。管理装置２０の制御装置２２は、音響システム１０_mから登録要求Ｒbとして受信した位置情報Ｌ_mと電波情報Ｗ_mと時間情報Ｔ_mとを相互に対応させて記憶装置２４に登録する（Ｓb6）。そして、制御装置２２は、時間情報Ｔ_mが示す使用期間が満了すると、音響システム１０_mの位置情報Ｌ_mと電波情報Ｗ_mと時間情報Ｔ_mとを記憶装置２４から削除する。したがって、音響システム１０_mがそれまで使用していたＮ個の使用帯域Ｂ_1〜Ｂ_Nは、当該音響システム１０_mの近傍の場所でも使用できる状態となる。
【００５０】
（４）前述の各形態で例示した通り、管理装置２０は、制御装置２２とプログラムとの協働で実現される。本発明の第１態様に係るプログラムは、音響信号を無線により受信する１以上の受信装置を含む複数の音響システムと通信可能なコンピュータに、前記複数の音響システムのうちの第１音響システムが使用可能な電波の周波数帯域を示す周波数情報を、前記複数の音響システムのうち前記第１音響システム以外の第２音響システムが使用する電波の周波数帯域を示す電波情報を参照して生成する情報生成処理（例えばステップＳb3）と、前記情報生成処理で生成した周波数情報を前記第１音響システムに送信する情報送信処理（例えばステップＳb4）とを実行させる。
【００５１】
同様に、前述の各形態で例示した情報処理装置１２は、制御装置１２２とプログラムとの協働で実現される。本発明の第２態様に係るプログラムは、音響信号を無線により受信する１以上の受信装置を含む複数の音響システムに使用されるコンピュータに、前記音響システムで使用される電波の周波数帯域を設定する周波数設定処理（例えばステップＳa3）と、前記音響システムが設置される場所を示す位置情報と、前記音響システムが使用する電波の周波数帯域を示す電波情報とを、複数の音響システムと通信可能な管理装置に対して送信する情報送信処理（例えばステップＳa5）とを実行させる。
【００５２】
以上に例示した各態様のプログラムは、コンピュータが読取可能な記録媒体に格納された形態で提供されてコンピュータにインストールされ得る。記録媒体は、例えば非一過性（non-transitory）の記録媒体であり、ＣＤ-ＲＯＭ等の光学式記録媒体（光ディスク）が好例であるが、半導体記録媒体または磁気記録媒体等の公知の任意の形式の記録媒体を包含し得る。なお、非一過性の記録媒体とは、一過性の伝搬信号（transitory, propagating signal）を除く任意の記録媒体を含み、揮発性の記録媒体を除外するものではない。また、通信網を介した配信の形態でプログラムをコンピュータに提供することも可能である。
【００５３】
（５）以上に例示した形態から、例えば以下の態様が把握される。
＜態様１＞
本発明の好適な態様（態様１）に係る管理装置は、音響信号を無線により受信する１以上の受信装置を含む複数の音響システムと通信可能な管理装置であって、前記複数の音響システムのうちの第１音響システムが使用可能な電波の周波数帯域を示す周波数情報を、前記複数の音響システムのうち前記第１音響システム以外の第２音響システムが使用する電波の周波数帯域を示す電波情報を参照して生成する情報生成部と、前記情報生成部が生成した周波数情報を前記第１音響システムに送信する情報送信部とを具備する。以上の態様では、第１音響システムが使用可能な電波の周波数帯域を示す周波数情報が、第１音響システム以外の第２音響システムの電波情報に応じて生成されて第１音響システムに送信される。したがって、第１音響システムで使用される電波が第２音響システムの電波と干渉する可能性を低減することが可能である。
＜態様２＞
態様１の好適例（態様２）において、前記情報生成部は、前記第２音響システムの電波情報が示す周波数帯域とは重複しない周波数帯域を示す周波数情報を前記第１音響システムについて生成する。以上の態様では、第２音響システムの電波情報が示す周波数帯域とは重複しない周波数帯域を示す周波数情報が第１音響システムについて生成されるから、第１音響システムで使用される電波が第２音響システムの電波と干渉する可能性を低減できるという効果は格別に顕著である。
＜態様３＞
態様１または態様２の好適例（態様３）に係る管理装置は、前記第１音響システムが設置される場所を示す位置情報を当該第１音響システムから受信する情報受信部を具備し、前記情報生成部は、相異なる場所で使用される電波の周波数帯域を示す複数の電波情報のうち、前記情報受信部が受信した位置情報が示す場所に近い前記第２音響システムの電波情報を参照して、前記第１音響システムの周波数情報を生成する。以上の態様では、第１音響システムから位置情報を受信し、当該位置情報が示す場所に近い第２音響システムの電波情報を参照して第１音響システムの周波数情報が生成される。したがって、電波の干渉が特に問題となり易い関係にある第１音響システムと第２音響システムとの間で電波の干渉を有効に抑制できるという利点がある。
＜態様４＞
態様３の好適例（態様４）において、前記複数の電波情報は、前記複数の音響システムの何れかが使用する電波の周波数帯域を示す電波情報と、前記複数の音響システム以外の電波発生源が使用する電波の周波数帯域を示す電波情報とを含む。以上の態様では、複数の音響システム以外の電波発生源が使用する電波の周波数帯域を示す電波情報が第１音響システムの周波数情報の生成のために使用される。したがって、音響システム以外の電波発生源からの電波が第１音響システムの電波と干渉する可能性を低減することが可能である。
＜態様５＞
本発明の好適な態様（態様５）に係る情報処理装置は、音響信号を無線により受信する１以上の受信装置を含む複数の音響システムに使用される情報処理装置であって、前記音響システムで使用される電波の周波数帯域を設定する周波数設定部と、前記音響システムが設置される場所を示す位置情報と、前記音響システムが使用する電波の周波数帯域を示す電波情報とを、複数の音響システムと通信可能な管理装置に対して送信する情報送信部とを具備する。以上の態様では、音響システムが設置される場所を示す位置情報と、音響システムが使用する電波の周波数帯域を示す電波情報とが管理装置に送信される。したがって、音響システムの位置に応じた周波数帯域の設定を管理装置で統一的に管理できるという利点がある。
＜態様６＞
本発明の好適な態様（態様６）に係る通信システムは、音響信号を無線により受信する１以上の受信装置を含む複数の音響システムと、前記複数の音響システムと通信可能な管理装置とを具備し、前記管理装置は、前記複数の音響システムのうちの第１音響システムが使用可能な電波の周波数帯域を示す周波数情報を、前記複数の音響システムのうち前記第１音響システム以外の第２音響システムが使用する電波の周波数帯域を示す電波情報を参照して生成する情報生成部と、前記情報生成部が生成した周波数情報を前記第１音響システムに送信する情報送信部とを含む。
【符号の説明】
【００５４】
１００…通信システム、１０_m（１０_1〜１０_M）…音響システム、１２…情報処理装置、１４_n（１４_1〜１４_N）…収音装置、１６_n（１６_1〜１６_N）…受信装置、１８…再生装置、１８２…音響処理装置、１８４…放音装置、１２２…制御装置、１２４…記憶装置、１２６…表示装置、１２８…通信装置、２０…管理装置、２２…制御装置、２４…記憶装置、２６…通信装置、３０…通信網、４０…電波発生源。
【図１】
2018101883.tif 000003
【図２】
2018101883.tif 000004
【図３】
2018101883.tif 000005
【図４】
2018101883.tif 000006
【図５】
2018101883.tif 000007
【図６】
2018101883.tif 000008
【図７】
2018101883.tif 000009
【図８】
2018101883.tif 000010